(57)【要約】【課題】ペットボトルのキャップの回収やエコ活動に適した携帯端末ストラップ用キャップ保持具及び携帯端末用アクセサリを提供する。【解決手段】携帯端末ストラップ用キャップ保持具１において、円板状の平板部２と、平板部２の表面３に形成されペットボトルのキャップの所定種類の雌ねじ部と螺合可能な雄ねじ部を有する突出部５と、平板部２側から径方向外側へ向かって延びる鍔部６と、鍔部６に形成され携帯端末ストラップが挿通される孔部７と、を備え、平板部２はキャップが突出部５と螺合した状態で当該キャップの開口を実質的に閉塞するようにした。【選択図】図１
2012165975.tif 000002
【特許請求の範囲】
【請求項１】
円板状の平板部と、
前記平板部の表面に形成され、ペットボトルのキャップの所定種類の雌ねじ部と螺合可能な雄ねじ部を有する突出部と、
前記平板部側から径方向外側へ向かって延びる鍔部と、
前記鍔部に形成され、携帯端末ストラップが挿通される孔部と、を備え、
前記平板部は、前記キャップが前記突出部と螺合した状態で当該キャップの開口を実質的に閉塞する携帯端末ストラップ用キャップ保持具。
【請求項２】
前記突出部は、ねじの周方向について複数に離隔して形成され、螺合不能な種類の雌ねじ部を有するキャップとは前記突出部が径方向に変形することにより嵌脱可能に形成される請求項１に記載の携帯端末ストラップ用キャップ保持具。
【請求項３】
前記突出部は、ねじの径方向に対称となるよう一対に形成され、前記突出部と嵌合したキャップが、前記突出部と非接触の部分を径方向に圧縮されることで変形して前記突出部から離脱可能となる請求項２に記載の携帯端末ストラップ用キャップ保持具。
【請求項４】
前記突出部の外径を２５ｍｍ以上２９ｍｍ以下、前記雄ねじ部のねじ高さを０．５ｍｍ以上２．０ｍｍ以下、及び、前記雄ねじ部のピッチを３．０ｍｍ以上４．０ｍｍ以下とした請求項３に記載の携帯端末ストラップ用キャップ保持具。
【請求項５】
前記鍔部と前記平板部の間に、前記平板部から上方又は斜め上方へ延びる壁部を有する請求項４に記載の携帯端末ストラップ用キャップ保持具。
【請求項６】
前記鍔部は、湾曲して形成される請求項５に記載の携帯端末ストラップ用キャップ保持具。
【請求項７】
前記突出部の基端の径方向内側に板状材を保持するための溝が形成されている請求項６に記載の携帯端末ストラップ用キャップ保持具。
【請求項８】
前記鍔部は、前記平板部と同一平面の板状に形成される請求項４に記載の携帯端末ストラップ用キャップ保持具。
【請求項９】
前記平板部及び前記鍔部の少なくとも一方の裏面に、鏡部材とクリーニング用シート部材の少なくとも一方が設けられている請求項４から８のいずれか１項に記載の携帯端末ストラップ用キャップ保持具。
【請求項１０】
請求項１から９のいずれか１項に記載の携帯端末ストラップ用キャップ保持具と、
前記鍔部の孔部を挿通する携帯端末ストラップと、を備えた携帯端末用アクセサリ。
【発明の詳細な説明】
【技術分野】
【０００１】
本発明は、ペットボトルのキャップと螺合可能な携帯端末ストラップ用キャップ保持具及びこれを備えた携帯端末用アクセサリに関する。
【背景技術】
【０００２】
従来、ゴミとして捨てられていたプラスチック製品の再製品化の動きがある。特に、ペットボトルのキャップに関しては、地域ぐるみのエコ活動が多くみられ、ボランティア団体等がキャップの回収を行っている。
【０００３】
ここで、ペットボトルのラベルにキャップストラップを切り取りができるミシン目を介して一体に設け、切り取ったキャップストラップはペットボトルのネックに回動可能に取り付けるための開口部を有する容器取付部と、前記開口部内側に延接された抜け防止ストッパーと、容器取付部に設けられた連結部と、連結部先端に取り付けられペットボトルのキャップへの固着手段を有するキャップ取付部とよりなる飲料用容器用キャップストラップが知られている（特許文献１参照）。
【先行技術文献】
【特許文献】
【０００４】
【特許文献１】特開２００３−２３７８１８号公報
【発明の概要】
【発明が解決しようとする課題】
【０００５】
しかし、特許文献１に記載のキャップストラップは、飲料を飲む際の便宜を図ったものであり、リサイクル等を考慮したものではない。
【０００６】
本発明は、前記事情に鑑みてなされたものであり、その目的とするところは、ペットボトルのキャップの回収やエコ活動に適した携帯端末ストラップ用キャップ保持具及び携帯端末用アクセサリを提供することにある。
【課題を解決するための手段】
【０００７】
本発明では、円板状の平板部と、前記平板部の表面に形成され、ペットボトルのキャップの所定種類の雌ねじ部と螺合可能な雄ねじ部を有する突出部と、前記平板部側から径方向外側へ向かって延びる鍔部と、前記鍔部に形成され、携帯端末ストラップが挿通される孔部と、を備え、前記平板部は、前記キャップが前記突出部と螺合した状態で当該キャップの開口を実質的に閉塞する携帯端末ストラップ用キャップ保持具が提供される。
【０００８】
また、上記携帯端末ストラップ用キャップ保持具において、前記突出部は、ねじの周方向について複数に離隔して形成され、螺合不能な種類の雌ねじ部を有するキャップとは前記突出部が径方向に変形することにより嵌脱可能に形成されてもよい。
【０００９】
また、上記携帯端末ストラップ用キャップ保持具において、前記突出部は、ねじの径方向に対称となるよう一対に形成され、前記突出部と嵌合したキャップが、前記突出部と非接触の部分を径方向に圧縮されることで変形して前記突出部から離脱可能となってもよい。
【００１０】
また、上記携帯端末ストラップ用キャップ保持具において、前記突出部の外径を２５ｍｍ以上２９ｍｍ以下、前記雄ねじ部のねじ高さを０．５ｍｍ以上２．０ｍｍ以下、及び、前記雄ねじ部のピッチを３．０ｍｍ以上４．０ｍｍ以下としてもよい。
【００１１】
また、上記携帯端末ストラップ用キャップ保持具において、前記鍔部と前記平板部の間に、前記平板部から上方又は斜め上方へ延びる壁部を有してもよい。
【００１２】
また、上記携帯端末ストラップ用キャップ保持具において、前記鍔部は、湾曲して形成されてもよい。
【００１３】
また、上記携帯端末ストラップ用キャップ保持具において、前記突出部の基端の径方向内側に板状材を保持するための溝が形成されていてもよい。
【００１４】
また、上記携帯端末ストラップ用キャップ保持具において、前記鍔部は、前記平板部と同一平面の板状に形成されてもよい。
【００１５】
また、上記携帯端末ストラップ用キャップ保持具において、前記平板部及び前記鍔部の少なくとも一方の裏面に、鏡部材とクリーニング用シート部材の少なくとも一方が設けられていてもよい。
【００１６】
また、本発明では、上記携帯端末ストラップ用キャップ保持具と、前記鍔部の孔部を挿通する携帯端末ストラップと、を備えた携帯端末用アクセサリが提供される。
【発明の効果】
【００１７】
本発明によれば、キャップ保持具が携帯端末用アクセサリの一部となるので、携帯端末の使用者は日常的にキャップ保持具を身につけることとなる。そして、使用済みペットボトルのキャップを保持具に螺合させることで、使用済みキャップをアクセサリの一部として利用することができる。このとき、キャップの開口を平板部が実質的に閉塞することから、意匠的にすっきりとした印象を看者に与える。
【００１８】
また、携帯端末の使用者は、特定の回収場所まで移動した際に、キャップを保持具から外すことができるので、キャップの回収を的確に行うことができる。さらに、携帯端末の使用者に対して、キャップがリサイクル材であることを認識させることができ、キャップ保持具をエコ活動の一環して利用することができる。
【図面の簡単な説明】
【００１９】
【図１】本発明の第１の実施形態を示す携帯端末ストラップ用キャップ保持具の全体斜視図である。
【図２】本発明の第１の実施形態を示す携帯端末ストラップ用キャップ保持具の正面図である。
【図３】本発明の第１の実施形態を示す携帯端末ストラップ用キャップ保持具の背面図である。
【図４】本発明の第１の実施形態を示す携帯端末ストラップ用キャップ保持具の平面図である。
【図５】本発明の第１の実施形態を示す携帯端末ストラップ用キャップ保持具の底面図である。
【図６】本発明の第１の実施形態を示す携帯端末ストラップ用キャップ保持具の左側面図である。
【図７】本発明の第１の実施形態を示す携帯端末ストラップ用キャップ保持具の右側面図である。
【図８】本発明の第１の実施形態の携帯端末ストラップ用キャップ保持具にキャップが螺合した状態を示す使用状態説明図である。
【図９】本発明の第１の実施形態の携帯端末ストラップ用キャップ保持具にキャップを嵌合する場合の動作を示す断面説明図である。
【図１０】変形例を示す携帯端末ストラップ用キャップ保持具の全体斜視図である。
【図１１】変形例を示す携帯端末ストラップ用キャップ保持具の底面図である。
【図１２】本発明の第２の実施形態を示す携帯端末ストラップ用キャップ保持具の全体斜視図である。
【図１３】本発明の第２の実施形態を示す携帯端末ストラップ用キャップ保持具の正面図である。
【図１４】本発明の第２の実施形態を示す携帯端末ストラップ用キャップ保持具の背面図である。
【図１５】本発明の第２の実施形態を示す携帯端末ストラップ用キャップ保持具の平面図である。
【図１６】本発明の第２の実施形態を示す携帯端末ストラップ用キャップ保持具の底面図である。
【図１７】本発明の第２の実施形態を示す携帯端末ストラップ用キャップ保持具の左側面図である。
【図１８】本発明の第２の実施形態を示す携帯端末ストラップ用キャップ保持具の右側面図である。
【図１９】本発明の第２の実施形態の携帯端末ストラップ用キャップ保持具にキャップが螺合した状態を示す使用状態説明図である。
【図２０】変形例を示す携帯端末ストラップ用キャップ保持具の底面図である。
【図２１】第１の実施形態を示す携帯端末ストラップ用キャップ保持具の全体斜視図であり、突出部及び雄ねじ部を実線で示し、それ以外の部分を破線で示したものである。
【図２２】第１の実施形態を示す携帯端末ストラップ用キャップ保持具の正面図であり、突出部及び雄ねじ部を実線で示し、それ以外の部分を破線で示したものである。
【図２３】第１の実施形態を示す携帯端末ストラップ用キャップ保持具の背面図であり、突出部及び雄ねじ部を実線で示し、それ以外の部分を破線で示したものである。
【図２４】第１の実施形態を示す携帯端末ストラップ用キャップ保持具の平面図であり、突出部及び雄ねじ部を実線で示し、それ以外の部分を破線で示したものである。
【図２５】第１の実施形態を示す携帯端末ストラップ用キャップ保持具の底面図であり、突出部及び雄ねじ部を実線で示し、それ以外の部分を破線で示したものである。
【図２６】第１の実施形態を示す携帯端末ストラップ用キャップ保持具の左側面図であり、突出部及び雄ねじ部を実線で示し、それ以外の部分を破線で示したものである。
【図２７】第１の実施形態を示す携帯端末ストラップ用キャップ保持具の右側面図であり、突出部及び雄ねじ部を実線で示し、それ以外の部分を破線で示したものである。
【図２８】第１の実施形態を示す携帯端末ストラップ用キャップ保持具の全体斜視図であり、壁部及び鍔部と、これに隣接する平板部の端面を実線で示し、それ以外の部分を破線で示したものである。
【図２９】第１の実施形態を示す携帯端末ストラップ用キャップ保持具の正面図であり、壁部及び鍔部と、これに隣接する平板部の端面を実線で示し、それ以外の部分を破線で示したものである。
【図３０】第１の実施形態を示す携帯端末ストラップ用キャップ保持具の背面図であり、壁部及び鍔部と、これに隣接する平板部の端面を実線で示し、それ以外の部分を破線で示したものである。
【図３１】第１の実施形態を示す携帯端末ストラップ用キャップ保持具の平面図であり、壁部及び鍔部と、これに隣接する平板部の端面を実線で示し、それ以外の部分を破線で示したものである。
【図３２】第１の実施形態を示す携帯端末ストラップ用キャップ保持具の底面図であり、壁部及び鍔部と、これに隣接する平板部の端面を実線で示し、それ以外の部分を破線で示したものである。
【図３３】第１の実施形態を示す携帯端末ストラップ用キャップ保持具の左側面図であり、壁部及び鍔部と、これに隣接する平板部の端面を実線で示し、それ以外の部分を破線で示したものである。
【図３４】第１の実施形態を示す携帯端末ストラップ用キャップ保持具の右側面図であり、壁部及び鍔部と、これに隣接する平板部の端面を実線で示し、それ以外の部分を破線で示したものである。
【発明を実施するための形態】
【００２０】
図１から図７は本発明の第１の実施形態を示す携帯端末ストラップ用キャップ保持具であり、図１は携帯端末ストラップ用キャップ保持具の全体斜視図、図２は正面図、図３は背面図、図４は平面図、図５は底面図、図６は左側面図、図７は右側面図である。また、図８は携帯端末ストラップ用キャップ保持具にキャップが螺合した状態を示す使用状態説明図であり、図９は携帯端末ストラップ用キャップ保持具にキャップを嵌合する場合の動作を示す断面説明図である。
【００２１】
図１から図７に示すように、この携帯端末ストラップ用キャップ保持具１は、円板状の平板部２と、平板部２の表面３に形成されペットボトルのキャップの所定種類の雌ねじ部と螺合可能な雄ねじ部４を有する突出部５と、平板部２側から径方向外側へ向かって延びる鍔部６と、鍔部６に形成され携帯端末ストラップが挿通される孔部７と、を備えている。また、鍔部６と平板部２の間には、平板部２から離隔するように斜め上方へ延びる壁部８が形成されている。この携帯端末ストラップ用キャップ保持具１は、樹脂により成形される。
【００２２】
平板部２は、表面３及び裏面９が平坦に形成され、対象となるキャップの外径と同じ直径若しくは大きい直径で形成される。本実施形態においては、対象となるキャップの外径は直径２８ｍｍであり、平板部２は直径２８ｍｍ以上３５ｍｍ以下で形成される。これにより、直径２８ｍｍのキャップであれば、突出部５と螺合した際に、キャップの開口を実質的に閉塞することができる。尚、平板部２の寸法はこれに限定されず、キャップの外径に応じて適宜変更が可能である。
【００２３】
突出部５は、所定厚さで周方向に延びて形成される。そして、雄ねじ部４は、突出部５の外面に形成されている。突出部５及び雄ねじ部４は、対象となるキャップの雌ねじ部と螺合するよう形成される。具体的には、突出部５の外径を２５ｍｍ以上２９ｍｍ以下、雄ねじ部４のねじ高さを０．５ｍｍ以上２．０ｍｍ以下、雄ねじ部４のピッチを３．０ｍｍ以上４．０ｍｍ以下とすると、直径２８ｍｍのキャップの殆どに対応することができる。この場合の雄ねじ部４は一重の螺旋である。尚、突出部５及び雄ねじ部４の寸法はこれら限定されず、キャップの雌ねじ形状に応じて適宜変更が可能である。
【００２４】
また、本実施形態においては、突出部５は、ねじの周方向について複数に離隔して形成される。このように離隔して形成された各突出部５は、周方向にわたって形成された場合と比べると、径方向からの入力に対して変形し易くなる。これにより、キャップ保持具１の雄ねじ部４がキャップの雌ねじ部と螺合不能な場合であっても、図８に示すように各突出部５が変形することにより、キャップの雌ねじ部が雄ねじ部４を乗り越えて、キャップが突出部５と嵌合するようになっている。雄ねじ部４が雌ねじ部と螺合不能な場合とは、雄ねじ部４が一重の螺旋であるのに対して雌ねじ部が二重の螺旋用に形成されている場合、雄ねじ部４と雌ねじ部のピッチが極端に異なる場合等が挙げられる。これらの場合は、キャップの外径が想定の範囲内であっても、螺合が不能となるケースがある。
【００２５】
さらに、本実施形態においては、突出部５は、ねじの径方向に対称となるよう一対に形成される。これにより、使用者は、突出部５と嵌合したキャップを、突出部５と非接触の部分を把持して径方向に圧縮することにより、当該キャップを変形させて突出部５から離脱させることができる。各突出部５の周方向寸法は任意であるが、各突出部５の周方向寸法の合計を、全周の２５％以上５０％以下とすることで、各突出部５の強度を確保しつつ、十分にキャップの変形をさせることができる。
【００２６】
壁部８は、平板部２の外縁の所定区間に沿って湾曲し、平板部２から斜め上方へ向かって形成される。壁部８の上端からは、鍔部６が径方向外側へ向かって形成される。本実施形態においては、鍔部６は上方へ凸に湾曲しており、壁部８の平板部２からの高さも、鍔部６に対応して中央がもっとも上方へ突出するようになっている。
【００２７】
鍔部６は、延在方向にわたって幅方向寸法が同じように形成され、先端の角部が面取りされている。鍔部６の先端付近には、携帯端末用ストラップが挿通される孔部７が形成される。
【００２８】
以上のように構成された携帯端末ストラップ用キャップ保持具１は、図１０に示すように、鍔部６の孔部７に携帯端末ストラップ９０を挿通することにより、携帯端末用アクセサリ１０１となる。このように、キャップ保持具１が携帯端末用アクセサリ１０１の一部となるので、携帯端末の使用者は日常的にキャップ保持具１を身につけることとなる。そして、使用済みペットボトルのキャップ９１を保持具１に螺合させることで、使用済みキャップ９１をアクセサリ１０１の一部として利用することができる。このとき、キャップ９１の開口を平板部２が実質的に閉塞することから、意匠的にすっきりとした印象を看者に与える。
【００２９】
また、携帯端末の使用者は、特定の回収場所まで移動した際に、キャップ９１を保持具１から外すことができるので、リサイクル業者等はキャップ９１の回収を的確に行うことができる。さらに、携帯端末の使用者に対して、キャップ９１がリサイクル材であることを認識させることができ、キャップ保持具１をエコ活動の一環して利用することができる。
【００３０】
また、雌ねじ部が対象のキャップ９１と異なるキャップ９１についても嵌合可能としたので、対象のキャップ９１と同様の直径のキャップ９１であればキャップ保持具１に取り付けることができる。さらに、突出部５と嵌合したキャップ９１を、突出部５と非接触の部分を把持することで簡単容易に離脱させることができ、実用に際して極めて有利である。
【００３１】
また、突出部５の外径を２５ｍｍ以上２９ｍｍ以下、雄ねじ部４のねじ高さを０．５ｍｍ以上２．０ｍｍ以下、雄ねじ部４のピッチを３．０ｍｍ以上４．０ｍｍ以下とすると、飲料用ペットボトルの主流となっている直径２８ｍｍのキャップの殆どを螺合させることができる。
【００３２】
また、平板部２の外縁に斜め上方へ延びる壁部８を設けたので、平板部２の曲げ剛性を高くすることができ、平板部２の強度を向上することができる。尚、壁部８は斜め上方でなく、上方へ延びるものであってもよい。さらに、鍔部６が湾曲形成されているので、鍔部６についても強度の向上が図られている。
【００３３】
また、例えば図１０に示すように、突出部５の基端の径方向内側に、板状材を保持するための溝５ａを形成してもよい。図１０の変形例では、溝５ａが平面視で円形となるよう一定の深さで形成され、保持される板状材として硬貨が想定されている。尚、溝５ａの深さや形状を変化させることにより、種々の板状材を保持させることが可能であり、例えば板状材としてメモリーカードを保持させることもできる。
【００３４】
また、例えば図１１に示すように、平板部２の裏面９に鏡部材９ａを設けてもよい。また、例えば図１１に示すように、鍔部６の裏面にクリーニング用シート部材６ａを設けてもよい。クリーニング用シート部材６ａは、例えば携帯端末の画面のクリーニングに用いることができる。尚、鏡部材９ａ及びクリーニング用シート部材６ａは、平板部２と鍔部６のいずれに設けられていてもよいし、これらに跨って設けられていてもよい。また、鏡部材９ａ及びクリーニング用シート部材６ａを設けるか否かは任意である。
【００３５】
図１２から図１８は本発明の第２の実施形態を示す携帯端末ストラップ用キャップ保持具であり、図１２は携帯端末ストラップ用キャップ保持具の全体斜視図、図１３は正面図、図１４は背面図、図１５は平面図、図１６は底面図、図１７は左側面図、図１８は右側面図である。また、図１９は携帯端末ストラップ用キャップ保持具にキャップが螺合した状態を示す使用状態説明図である。
【００３６】
図１２から図１８に示すように、この携帯端末ストラップ用キャップ保持具１１は、円板状の平板部１２と、平板部１２の表面１３に形成されペットボトルのキャップの所定種類の雌ねじ部と螺合可能な雄ねじ部１４を有する突出部１５と、平板部１２側から径方向外側へ向かって延びる鍔部１６と、鍔部１６に形成され携帯端末ストラップが挿通される孔部１７と、を備えている。平板部１２、突出部１５及び雄ねじ部１４は、第１の実施形態の平板部２、突出部５及び雄ねじ部４と同様の構造であるのでここでは詳述しない。
【００３７】
本実施形態においては、鍔部１６は、平板部１２と同一平面の板状であり、平板部１２と連続的に形成されている。鍔部１６は径方向外側へ向かって細くなるよう形成され、孔部１７が鍔部１６の先端付近に形成される。
【００３８】
以上のように構成された携帯端末ストラップ用キャップ保持具１１は、図１９に示すように、鍔部１６の孔部１７に携帯端末ストラップ９０を挿通することにより、携帯端末用アクセサリ１１１となる。このように、キャップ保持具１１が携帯端末用アクセサリ１１１の一部となるので、携帯端末の使用者は日常的にキャップ保持具１１を身につけることとなる。そして、使用済みペットボトルのキャップ９１を保持具１１に螺合させることで、使用済みキャップ９１をアクセサリ１１１の一部として利用することができる。このとき、キャップ９１の開口を平板部１２が実質的に閉塞することから、意匠的にすっきりとした印象を看者に与える。
【００３９】
また、携帯端末の使用者は、特定の回収場所まで移動した際に、キャップ９１を保持具１１から外すことができるので、リサイクル業者等はキャップ９１の回収を的確に行うことができる。さらに、携帯端末の使用者に対して、キャップ９１がリサイクル材であることを認識させることができ、キャップ保持具１１をエコ活動の一環して利用することができる。
【００４０】
また、第１の実施形態と同様に、雌ねじ部が対象のキャップ９１と異なるキャップ９１についても嵌合可能であるので、対象のキャップ９１と同様の直径のキャップ９１であればキャップ保持具１１に取り付けることができる。さらに、突出部１５と嵌合したキャップ９１を、突出部１５と非接触の部分を把持することで簡単容易に離脱させることができ、実用に際して極めて有利である。
【００４１】
さらに、鍔部１６を平板部１２と連続的な同一平面の板状としたので、鍔部１６の成形が比較的容易である。これにより、キャップ保持具１１の製造コストの低減を図ることができる。
【００４２】
また、例えば図２０に示すように、平板部１２の裏面１９に鏡部材１９ａを設けてもよい。ここで、図２０の鏡部材１９ａは、鍔部１６に跨って設けられている。
【００４３】
以上、本発明を第１及び第２実施形態に基づき説明したが、本発明はこれらの実施形態に限定されるものではない。携帯端末用ストラップ以外の、例えば、キーホルダー、首等からぶら下げるアクセサリ等のような他のアクセサリためのキャップ保持具とすることもできる。すなわち、保持部と、前記保持部に形成され、ペットボトルのキャップの所定種類の雌ねじ部と螺合可能な雄ねじ部を有する突出部と、前記保持部側から径方向外側へ向かって延びる鍔部と、前記鍔部に形成され、紐状部材が挿通される孔部と、を備え、前記キャップとの組み合わせで帽子のイメージをなすキャップ保持具も本発明に含まれる。前記実施形態においては、平板部が保持部をなしている。また、キャップ及びキャップ保持具の組み合わせで得られる帽子のイメージが、例えばプロ野球のような、特定団体のものとしてもよい。また、第１及び第２実施形態の携帯端末ストラップ用キャップ保持具１，１１は外観が意匠的にも優れており、図１から図７にはキャップ保持具１の全体意匠が、図１２から図１８にはキャップ保持具１１の全体意匠がそれぞれ記載されている。
【００４４】
また、図２１から図２７は、第１の実施形態の携帯端末ストラップ用キャップ保持具１における突出部５及び雄ねじ部４を実線で示し、それ以外の部分を破線で示したものである。図２１から図２７の実線部分は、キャップ保持具１における突出部５及び雄ねじ部４を、部分意匠を受けようとする部分とする意匠登録出願に変更する場合の「部分意匠を受けようとする部分」に相当する。
【００４５】
さらに、図２８から図３４は、第１の実施形態の携帯端末ストラップ用キャップ保持具１における壁部８及び鍔部６と、これに隣接する平板部２の端面を実線で示し、それ以外の部分を破線で示したものである。すなわち、図２８から図３４の実線部分は、キャップ保持具１における壁部８及び鍔部６と、これに隣接する平板部２の端面を、部分意匠を受けようとする部分とする意匠登録出願に変更する場合の「部分意匠を受けようとする部分」に相当する。ここで、図１から図７において平板部２の端面に実線が現れないのは当該端面が全面的に湾曲形成されているからであり、図２８から図３４において平板部２の端面に上下に延びる実線が現れているのは、当該端面に角部が存在しているからである、
【符号の説明】
【００４６】
１  携帯端末ストラップ用キャップ保持具
２  平板部
３  表面
４  雄ねじ部
５  突出部
５ａ  溝
６  鍔部
６ａ  クリーニング用シート部材
７  孔部
８  壁部
９  裏面
９ａ  鏡部材
１１  携帯端末ストラップ用キャップ保持具
１２  平板部
１３  表面
１４  雄ねじ部
１５  突出部
１６  鍔部
１７  孔部
１９  裏面
１９ａ 鏡部材
９０  携帯端末ストラップ
９１  キャップ
１０１ 携帯端末用アクセサリ
１１１ 携帯端末用アクセサリ
【図１】
2012165975.tif 000003
【図２】
2012165975.tif 000004
【図３】
2012165975.tif 000005
【図４】
2012165975.tif 000006
【図５】
2012165975.tif 000007
【図６】
2012165975.tif 000008
【図７】
2012165975.tif 000009
【図８】
2012165975.tif 000010
【図９】
2012165975.tif 000011
【図１０】
2012165975.tif 000012
【図１１】
2012165975.tif 000013
【図１２】
2012165975.tif 000014
【図１３】
2012165975.tif 000015
【図１４】
2012165975.tif 000016
【図１５】
2012165975.tif 000017
【図１６】
2012165975.tif 000018
【図１７】
2012165975.tif 000019
【図１８】
2012165975.tif 000020
【図１９】
2012165975.tif 000021
【図２０】
2012165975.tif 000022
【図２１】
2012165975.tif 000023
【図２２】
2012165975.tif 000024
【図２３】
2012165975.tif 000025
【図２４】
2012165975.tif 000026
【図２５】
2012165975.tif 000027
【図２６】
2012165975.tif 000028
【図２７】
2012165975.tif 000029
【図２８】
2012165975.tif 000030
【図２９】
2012165975.tif 000031
【図３０】
2012165975.tif 000032
【図３１】
2012165975.tif 000033
【図３２】
2012165975.tif 000034
【図３３】
2012165975.tif 000035
【図３４】
2012165975.tif 000036